(57)【特許請求の範囲】
【請求項１】
信号、電力などを伝送するフラットケーブルを所定の装置に固定する固定機構であって、
前記フラットケーブルの位置を規制する所定の折り目ラインを有し、折り合わせ可能な絶縁性シートと、
前記所定の装置に設けられ、前記絶縁性シートを前記所定の装置に固定する固定部と、
で構成され、
前記絶縁性シートは、前記絶縁性シートが前記折り目ラインで折り合わされる折り合わせ面を接合して所定の接合部を形成する接合手段と、
前記接合手段に設けられ、前記固定部に係合し前記所定の装置に固定される掛け止め固定部と、を備えることを特徴とする伝送ケーブルの固定機構。
【請求項２】
前記接合手段は、
前記折り合わせ面に形成された接着剤層、溶着層、圧着層、などの接合層構造か、
前記折り合わせ面に添着された結束具、綴じ針、などの接合具構造か、
若しくは、
前記折り合わせ面に形成された凹嵌部と当該凹嵌部に差し込まれる突起部、スリットと当該スリットに差し込まれる差し込み片、などの嵌合構造、
であることを特徴とする請求項１に記載の伝送ケーブルの固定機構。
【請求項３】
前記掛け止め固定部は、
前記固定部に形成された突起に係合する掛け止め孔か、
前記固定部に形成された凹部に係合する係止フック、
であることを特徴とする請求項２に記載の伝送ケーブルの固定機構。
【請求項４】
前記掛け止め固定部は、前記折り合わせ面に形成された前記突起部、若しくは前記差し込み片に成形されていることを特徴とする請求項３に記載の伝送ケーブルの固定機構。
【請求項５】
前記接合部は、
前記折り目ラインを境に所定間隔を隔てて対向する位置に配置された前記接合手段で形成された第１の接合部と、
前記折り目ラインに沿った方向で前記第１の接合部を挟み前記折り目ラインを境に所定間隔を隔てて対向する位置に配置された前記接合手段で形成された第２の接合部と、を備え、
前記フラットケーブルは、前記折り目ラインと前記第１の接合部と前記第２の接合部との間で位置規制され、
前記第１の接合部と、前記第２の接合部は互いに係合する突起部と凹嵌部、スリットと差し込み片で形成され、前記折り合わせ面の一方の前記第１の接合部には突起部もしくは差し込み片、前記第２の接合部には凹嵌部もしくはスリットが配置されることを特徴とする請求項２に記載の伝送ケーブルの固定機構。
【請求項６】
前記第２の接合部は、前記スリットと当該スリットに差し込まれた前記差し込み片と係合し、前記スリットの開口幅より狭い幅で形成された端部を備えることを特徴とする請求項５に記載の伝送ケーブルの固定機構。
【請求項７】
読取り画像に沿って移動可能なスキャニング部と、
前記スキャニング部を制御する制御部と、
前記スキャニング部と制御部とを電気的に接続する伝送ケーブルと、
から構成され、
前記伝送ケーブルは請求項１から６のいずれか１項に記載の伝送ケーブルの固定機構を備えていることを特徴とする画像読取装置。
【発明の詳細な説明】
【技術分野】
【０００１】
本発明は、画像読取装置などにおいてスキャニングユニットと制御電源部を電気的に連結する伝送ケーブルの固定機構に係わり、伝送ケーブルを物理的な損傷および電気的な信号の劣化・ノイズの伝搬を引き起こすことの少ないケーブルの固定機構に関する。
【背景技術】
【０００２】
従来、画像読取装置では画像原稿に沿って移動するスキャニングユニットに制御基板から電気信号或いは電源を供給するため伝送ケーブルを装置ハウジング内に配線している。
【０００３】
例えば特許文献１には、スキャニングユニットと制御基板との間、フラットケーブルで連結し、フラットケーブルの一端は制御基板のコネクタに連結して固定し、他端はスキャニングユニットに連結している。そしてスキャニングユニットの移動（スキャニング動作）に伴ってケーブルが変形するように配回している。
【０００４】
このように一端を基板に固定し、他端をスキャニングユニットに連結したケーブル構造では、ケーブルのねじれ、引っ張り力など外力の作用でケーブルが破損し、或いは外皮が損傷して漏電する問題がある。
【０００５】
そこで特許文献２にはケーブルの損傷しやすい部分をシートで覆ってケーブルのねじれによる破損或いは外部からの引張り力を軽減する機構が開示されている。同文献にはプラスチックシートに形成した切欠スリットにケーブルの端部を差し込んで保護する構造が提案されている。
【先行技術文献】
【特許文献】
【０００６】
【特許文献１】特開２００１−０７５１９３号公報
【特許文献２】特開２００２−１１２４４１号公報
【発明の概要】
【発明が解決しようとする課題】
【０００７】
上述のように画像読取などの移動するユニットに制御基板などの固定部から電源あるいは制御信号を伝送するフラットケーブルを配線する際に、ケーブルの捩れ易い部分をプラスチックシートで保持する構造が例えば特許文献２などに提案されている。
【０００８】
従来は、適宜厚さのプラスチックシートにケーブルの端部を差し込むスリットを設けてケーブルを固定している。このためケーブルは表裏両面をプラスチックなどの保護シートで覆われることなく、その一部はシャーシなどの金属材料と接触することがある。これと共にプラスチックシートなどの切欠スリットにフラットケーブルを差し込むためスリットのエッジでテーブル表皮を損傷することがある。
【０００９】
また、切欠スリットでフラットケーブルの一部を保持するときには、シートに形成するスリットの位置とケーブルの固定個所が一致しなければケーブルを正しい姿勢保持することができない。
【００１０】
更に、ケーブルが金属材料と接触するとケーブルの誘電率が変化し、ケーブル内を伝送される信号が劣化することがある。またその反対のケースとして、ケーブル内を伝送される信号がケーブルと金属材料の接触部から金属材料へ伝搬し、電波ノイズを発生することもある。
【００１１】
本発明は、フラットケーブルを外部からのねじれ力、引っ張り力などが作用したとき比較的確実に配線形状を保持することができ、金属材料との接触を避け、ケーブル表皮を損傷することのない、また、信号劣化び電石に波ノイズを引き起こすことのない伝送ケーブルの固定機構の提供をその課題としている。
【課題を解決するための手段】
【００１２】
本発明は上記課題を解決するため、折り合わせ可能な絶縁性シートを折り合わせ面で接合し、その折り目部と接合部の少なくとも１つでフラットケーブルを位置規制することを特徴としている。
【００１３】
請求項１の発明は、フラットケーブル２６と、その位置を規制する所定の折り目ラインを有し、折り合わせ可能な絶縁性シート３０と、所定の装置に固定する固定部とで構成され、絶縁シートの折り合わせ面を接合する接合部３２，３３，３４を形成する接合手段と、そこに設けられ固定部に係合し前記所定の装置に固定される掛け止め固定部を備える。
【００１４】
これによってフラットケーブルは絶縁シートの折り合わせ面で挟持され、その配線形状は折り目部または接合部で保持され、所定の装置に固定される。
【００１５】
請求項２の発明は、上記接合手段は、折り合わせ面に形成された接着剤層、溶着層、圧着層、などの接合層構造を採用するか、折り合わせ面に添着された結束具、綴じ針、などの接合具構造を採用するか、折り合わせ面に形成された互いに係合する突起部と凹嵌部、スリットと差し込み片、などの嵌合構造を採用する。
【００１６】
これによって保持するフラットケーブルの素材、形状、外部から作用する力の大小に応じて好適な接合構造を選択することができる。
【００１７】
請求項３の発明は、上記掛け止め固定部は、装置の突起（後述するフック３６）に係合する掛け止め孔か、装置の凹部に係合する係止フックで構成する。
【００１８】
これによって、フラットケーブルは絶縁シートで保護されるとともに、この絶縁シートをシャーシなどの装置に固定することとなりフラットケーブルに直接、固定するための力が作用しないので損傷を招くことがない。
【００１９】
請求項４の発明は、上記掛け止め固定部は、上記折り合わせ面に形成された突起部、若しくは差し込み片に形成する。
【００２０】
これによって、折り合わせ面を接合するためのスリットと、絶縁シートを固定するための掛け止め孔を、同時成形することができる。
【００２１】
請求項５の発明は、前記接合部は、前記折り目ラインを境に所定間隔を隔てて対向する位置に配置された前記接合手段で形成された第１の接合部と、前記折り目ラインに沿った方向で前記第１の接合部を挟み前記折り目ラインを境に所定間隔を隔てて対向する位置に配置された前記接合手段で形成された第２の接合部と、を備え、前記フラットケーブルは、前記折り目ラインと前記第１の接合部と前記第２の接合部との間で位置規制され、前記第１の接合部と、前記第２の接合部は互いに係合する突起部と凹嵌部、スリットと差し込み片で形成され、前記折り合わせ面の一方の前記第１の接合部には突起部もしくは差し込み片、前記第２の接合部には凹嵌部もしくはスリットが配置される。
【００２２】
これによって、フラットケーブルは、絶縁シートの折り目部と接合部で挟むように規制されるから、その位置に比較的確実に保持される。
【００２３】
請求項６の発明は、前記第２の接合部は、前記スリットと当該スリットに差し込まれた前記差し込み片と係合し、前記スリットの開口幅より狭い幅で形成されている。
【００２４】
これによって、フラットケーブルを挟持する絶縁シートの接合部が解除され辛くなりより確実に接合できる。
【００２５】
請求項７の発明は、上述の各請求項の発明を採用した画像読み取り装置であり、特にスキャニング移動するユニット部と制御基板などの制御部とを電気的に接続する伝送ケーブルを上述の機構で固定する。
【００２６】
これによって、繰り返し移動するスキャニング動作でフラットケーブルが損傷することと、ケーブルのねじれなどで読取動作に影響を及ぼすことがない。
【発明の効果】
【００２７】
本発明は、フラットケーブルの一部を、シートを折り合わせてその表裏から挟むように保持して折り目部と接合部の１つで位置決めするものであるから以下の効果を奏する。
【００２８】
フラットケーブルは表裏面をシートで覆われて保護されるためケーブルに外力が及んでもその表皮を損傷することが少ない。また、ケーブルは折り目部または接合部で位置決めされているから配線形状が比較的正しい姿勢で保持される。
【００２９】
更に、フラットケーブルの表裏がシートで覆われるため、フラットケーブルが他の部材（特に金属材料）との直接の接触が避けられ、ケーブル内部を伝送される信号の劣化及びケーブルから金属筐体等を伝搬する電波ノイズの発生を防止することができる。
【図面の簡単な説明】
【００３０】
【図１】本発明にかかわる画像読取装置の外観形状を示す斜視説明図。
【図２】図１の装置のレイアウト構成を示す斜視説明図。
【図３】図２の装置のレイアウト構成を示す平面説明図。
【図４】図１の装置の読取キャリッジの構造説明図。
【図５】図１の装置における伝送ケーブルの組み込み説明図。
【図６】伝送ケーブルの折曲部を複数の保護シートでカバーする形態の説明図であり、（ａ）は保護シートを展開した状態を、（ｂ）は伝送ケーブルを重ねた状態を示す。
【図７】図１の装置における伝送ケーブルをカバーする保護シートの説明図であり、（ａ）は平面に展開した状態を、（ｂ）は、保護シートに伝送ケーブルを重ねた状態を示す。
【図８】（ａ）は伝送ケーブルの折曲げ部を保護シートでカバーした状態を示し、（ｂ）は、ｘ−ｘ線断面図であり、（ｃ）はｙ−ｙ線断面図を示す。
【図９】（ａ）乃至（ｃ）は図７とは異なる接合手段の実施形態を示す説明図。
【発明を実施するための形態】
【００３１】
以下図示の実施の形態に従って本発明を詳述する。図１は本発明に係わる画像読取装置Ａの外観説明図であり、筐体１と、メインプラテン２と、サブプラテン３と、フィーダユニットＦで構成されている。
【００３２】
筐体１には、上記メインプラテン２とサブプラテン３と、基板収容部５が配置されている。この基板収容部５には、後述する各種基板が配置され、フィーダユニットＦのヒンジ取付部６が設けられている。図示５ａは基板収容部５に位置する筐体１の天板であり、図示７は筐体１に形成された第１通気口、また図示８は第２通気口であり、図示９は排気口である。
【００３３】
図示の基板収容部５と第１、第２通気口７，８と排気口９は、いずれも筐体１のリヤ側の側壁面（リア側枠）１ｒに形成されている。また通気口７（８）と排気口９は上記リア側枠１ｒの両端部に距離を隔てて配置されている。
【００３４】
上記メインプラテン２は、画像原稿を静止状態でセットする透明な載置面で構成され、サブプラテン３は、フィーダユニットＦから定速度で送られた移動中の画像原稿を読み取る透明な露光面で構成されている。なお、サブプラテン３を特別に設けることなく、プラテン２の一部で走行原稿を読み取る構成（ワンプラテン機構）も採用可能である。
【００３５】
上記第１通気口７と第２通気口８は互いに隣接する位置に配置され、排気口９は副走査方向に距離を隔てた位置に配置されている。そして第１通気口７と第２通気口８から吸入された外気は主走査方向と副走査方向に送風され、排気口９から外部に排出される。この空気の流れで筐体内部が冷却される。
【００３６】
図２及び図３に上記筐体内部の構成を示す。筐体１の内部には上記メインプラテン２にセットされた原稿画像（静止画像）か、上記サブプラテン３を走行する移動原稿（移動画像）を線順次で読取る画像読取機構４が内蔵されている。
【００３７】
上記画像読取機構４は、密着読取構造と縮小光学読取構造のいずれかで構成される。図示の装置は、縮小光学系の読取構造を示し、これについて説明する。画像読取機構４は、読取キャリッジ１０と、光源ランプ１１と、反射ミラー１７と、集光レンズ１８と、光電センサ１３で構成されている。
【００３８】
上記読取キャリッジ１０（以下「キャリッジ」と云う）は、筐体１の側枠１ｓ、１ｎ間に配置された一対のガイド部材２２（ガイドレール、ガイドロッドなど）に沿って移動可能に支持されている。このキャリッジ１０は、メインプラテン２とサブプラテン３との間で位置移動するのと同時にメインプラテン２に沿って往復動する。
【００３９】
上記読取キャリッジ１０には、タイミングベルト、ワイヤーなどの走行牽引部材２０が連結され、この走行牽引部材２０はプーリ、巻取ロールなどの回転部材２１に支持されている。この回転部材２１には駆動モータ（不図示；以下「キャリッジモータ」と云う）が連結されている。図示の装置における走行牽引部材（タイミングベルト２０）と回転部材（プーリ２１）とキャリッジモータ（ステッピングモータ）は、筐体１に内蔵されている。
【００４０】
上記キャリッジ１０の内部構造を図４に従って説明する。キャリッジ１０には、光源ランプ１１（図示のものは一対のＬＥＤランプ）と、撮像光学系１２と、光電変換手段（光電センサ）１３が内蔵されている。キャリッジ１０は、耐熱性樹脂で構成され、ランプ収納部１１ｘ、１１ｙと、ミラー固定部１４と、レンズ固定部１５と、センサ基板固定部１６が一体形成されている。
【００４１】
ランプ収納部１１ｘ、１１ｙには棒状ＬＥＤランプ（光源ランプ）１１が固定され、プラテン上の原稿に光を照射するように配置されている。ミラー固定部１４には主走査方向に所定の長さを有する反射ミラー１７（１７ａ、１７ｂ、１７ｃ、１７ｄ、１７ｅ）が固定されている。
【００４２】
上記各ミラー１７ａ〜１７ｅは光源ランプ１１からの光が原稿画像に照射した反射光を反射して所定長の撮像光路を形成している。レンズ固定部１５には反射ミラー１７からの出力光を集光するレンズ（結像レンズ）１８が位置調整可能に取り付けられている。またセンサ基板固定部１６には、センサ基板１９が取り付けられ、この基板に光電センサ１３（光電変換手段；ＣＣＤ）がマウントされ、集光レンズ１８からの光が光電センサ１３（ラインセンサ）上に結像するように配置されている。
【００４３】
上記光源ランプ１１及び撮像光学系１２と光電センサ１３は原稿画像を線順次で読取るようにライン状に配列されている。つまり光電センサ１３はラインセンサ（ＣＣＤなど）であり、集光レンズ１８はラインセンサ上にライン画像を結像する。
【００４４】
このため反射ミラー１７と光源ランプ１１はライン光を発光し反射するように構成されている。そして上記キャリッジ１０は光電センサ１３（センサアレイ）の主走査方向に対し、直交する副走査方向に移動する。
【００４５】
なお、光電センサ１３と集光レンズ１８をキャリッジ１０に搭載する実施形態について説明したが、これらの撮像光学系１２は、筐体１の底部、例えばシャーシに固定することも可能である。この場合には後述する伝送ケーブル２６は電源供給線とその制御線で構成する。
【００４６】
［基板構造］
基板構成、配置について図３を用いて説明する。上記筐体１の内部には、基板収納部５が配置されている。図示の筐体１は、ボックス形状のケーシング内をキャリッジ走行エリアＣｒと基板収納エリアＢｒに区割する隔壁（バリヤウォール）２３が設けてある。上記基板収納部５は、この隔壁２３と、リヤ側の側壁面（リア側枠）１ｒと、天板５ａと底板（シャーシ）５ｂとで囲まれた空間で構成している（以下この空間を第２送風ハウジングＢｈ２という）。
【００４７】
また隔壁２３で区割されたキャリッジ走行エリアＣｒは、隔壁２３と、フロント側の側壁面（フロント側枠）１ｆと、プラテン２、３と底板（シャーシ）とで囲まれた空間（以下この空間を第１送風ハウジングＢｈ１という）が形成されている。このように隔壁２３によって、基板収納エリアＢｒに送風する空気流れＡｆ２（副走査方向送風路）とキャリッジ走査エリアＣｒに送風する空気流れＡｆ１（主走査方向送風路）が形成されている。
【００４８】
前記基板収納部５には、キャリッジ１０に収納した光源ランプ１１に電源を供給する電源基板２４と、前記キャリッジモータの制御及び前記センサ基板１９の光電センサ１３の読取を制御する制御基板２５と、前記キャリッジ１０に搭載したセンサ基板１９からのデータを処理する画像処理基板（図示のものは上記基板２５に一体構成されている）など複数の基板２４、２５が配置される。
【００４９】
［伝送ケーブル］
伝送ケーブルの構成について、図５を用いて説明する。上述のキャリッジ１０に搭載されたセンサ基板１９と制御基板２５の間には伝送ケーブル２６が配置されている。この伝送ケーブル２６は、前記センサ基板１９及び前記光源ランプ１１に電源を供給する電源供給線（電源供給ケーブル）２６ａと前記光電センサ１３で読出した画像データを伝送するデータ線と、ランプ点滅と、光電変換を制御する制御データ線など複数の信号転送線（データ転送ケーブル）２６ｂから成るフラットケーブルで構成されている。図示の伝送ケーブル２６はキャリッジ１０の移動に伴って変形するフレキシブルケーブルで形成されている。
【００５０】
次に上記伝送ケーブル２６の筐体内への組み込みについて説明する。図示の装置における伝送ケーブル２６は、電源供給ケーブル２６ａとデータ転送ケーブル２６ｂの２本のフラットケーブルで構成されている。この両ケーブル２６ａ、２６ｂは、上下に積層状に重ね合わせられた状態で一体的に這い回されている。以下この２本のケーブルを伝送ケーブル２６として説明する。（装置仕様によっては１本のケーブルで構成しても良い）
【００５１】
伝送ケーブル２６は、可動結線部２６ｘと固定結線部２６ｙと、この両結線部を繋ぐフレキシブルハーネス部２６ｚで構成される。可動結線部２６ｘはキャリッジ１０に図示しないコネクタで連結されている。固定結線部２６ｙは前記制御基板２５に配置されたコネクタ２７、２８に連結されている。コネクタ２７は、電源供給ケーブル２６ａと結線し、コネクタ２８はデータ転送ケーブル２６ｂと結線する。また上記フレキシブルハーネス部２６ｚは、キャリッジの移動に伴って変形（ループ形状の変形）し、ハーネス組込時のねじれなどで柔軟に変形する（図５参照）。
【００５２】
図６は、上述の伝送ケーブル２６を筐体１に配線する際にケーブルを保護する固定機構３０の説明図である。伝送ケーブル２６は、直線形状、Ｕ字形状、Ｌ字形状など這い回しに応じて変形される。図示のものは、第１折曲部２６ｃと第２折曲部２６ｄで略Ｕ字形状に形成されている。この状態で伝送ケーブル２６には、その形状を原形の直線形状に復帰するような力（内部応力）が作用する。
【００５３】
そこで伝送ケーブル２６を配線形状に保持する必要と、可動結線部２６ｘの運動（キャリッジ１０のスキャニング動作に従動する運動）で捩れが生じないようにすると同時にケーブル２６を外部突起で破損しないように保護する必要が生ずる。図示３０は保護シートであり、伝送ケーブル２６を部分的にカバーする形状に形成されている。例えば保護シート３０は絶縁性を有する合成樹脂シートで伝送ケーブル２６に作用する外部突起などから保護する厚さと強度に形成する。図示の保護シート３０はポリプロピレン樹脂で形成してある。
【００５４】
保護シート３０は、折り曲げ可能なシート（紙、プラスチックフィルムなど）で形成され、例えば中央部（折り目ライン）３１で折り合わせる。シート形状（外形、面積、サイズ寸法）は伝送ケーブル２６の要部（例えば第１、第２折曲部２６ｃ、２６ｄ）を２つ折りした状態で挟むことが可能に形成する。
【００５５】
シート材質は、ポリプロピレン樹脂、フルオロエチレン樹脂、厚紙、段ボールなどで挟み合わせて覆った伝送ケーブル２６が、その形状を保持すること、外部の突起物で損傷されないこと、不用意には移動しないこと、などの条件から選択する。
【００５６】
図７（ａ）は、保護シート３０の平面形状（展開形状）を示す。中央に折り目ライン３１（折り目部）を折り曲げやすい形状に加工する。この折り目加工はミシン目、スリット溝、薄肉線などを施す（折り合わせやすい素材のときには折り目加工の必要は無い）。図示のものは折り目ライン３１に沿って複数のスリット溝３１ｓを型抜き成形してある。
【００５７】
上記保護シート３０には折り目ライン３１で２つ折りした状態で接合する接合部３２，３３，３４が形成してある。図示の保護シート３０には、折り目ライン３１から間隔ｎを隔てて第１接合部３２が、折り目ライン３１と直交する方向に第２接合部３３と第３接合部３４が形成してある。第２接合部３３と第３接合部３４の間には間隔ｍが形成されている。
【００５８】
上記間隔ｎは、ケーブル幅ｐと、ほぼ同一間隔か若干広い間隔に形成してある（ｎ≧ｐ）。また上記間隔ｍは、Ｕ字形状のケーブル配線寸法ｑと、同一か若干広い間隔に形成してある（ｍ≧ｑ）。
【００５９】
このように伝送ケーブル２６の要部を、折り合わせた保護シート３０の折り合わせ面で挟むように保護し、その適宜数カ所を接合する。このとき折り目部３１と、接合部３２、３３、３４の少なくとも１つを伝送ケーブル２６を位置規制する位置に配置する。これによって伝送ケーブル２６は、その這い回しに応じて変形された形状を保持し、絶縁し、外部突起などの外力から強度的にガードする。
【００６０】
次に、上記第１接合部３２と第２接合部３３と第３接合部３４の接合手段について説明する。図７に示す第一実施形態は、保護シート３０の合わせ面の一方に嵌合凹部３２ｙ、３３ｙ、３４ｙを、合わせ面の他方に嵌合突起部３２ｘ、３３ｘ、３４ｘを形成する。そして嵌合突起部３２ｘ、３３ｘ、３４ｘと嵌合凹部３２ｙ、３３ｙ、３４ｙを互いに嵌合する。
【００６１】
図７の嵌合凹部と突起部とは、保護シート３０に一体形成してあるスリット溝と差し込み片で形成している。保護シート３０の合わせ面の一方（図７（ａ）上面）に第２スリット溝３３ｙと第３スリット溝３４ｙと、第１差し込み片３２ｘが形成してある。また合わせ面の他方（図７（ａ）下面）に第２差し込み片３３ｘと第３差し込み片３４ｘと第１スリット溝３２ｙを形成している。
【００６２】
図８（ａ）には伝送ケーブル２６を第１折曲部２６ｃと、第２折曲部２６ｄでＵ字状に折り曲げた状態で、その表裏面を保護シート３０で挟持した状態を示す。図示の第２接合部３３と第３接合部３４は、第１接合部３２と同様に伝送ケーブル２６がシート内部で位置移動するのを防止（位置規制）するように配置されている。
【００６３】
図８（ｂ）は同図（ａ）のｘ−ｘ線切断面で、第１接合部３２の結合状態を示し、同図（ｃ）はｙ−ｙ線断面図で第２接合３３の結合状態（第４の接合部も同様）を示している。上記保護シート３０には構造物（図５に示すヒンジユニットの取付部６）の突起３６に係合する掛け止め孔３５が設けてある。
【００６４】
このように、保護シート３０には折り目ライン３１に沿って折合わせた（２つ折り）折り合わせ面を互いに接合するスリット溝３２ｙ、３３ｙ、３４ｙと、これと嵌合する差し込み片３２ｘ、３３ｘ、３４ｘが一体成形され、更に筐体内の構造物に固定する掛け止め孔３５が一体成形されている。その加工は例えばプラスチックフィルムの型抜き成形で一体成形することができる。
【００６５】
また、保護シート３０には筐体１の底部シャーシ等に添着する両面テープ（不図示）が貼ってある。このほか保護シート３０に突起部を形成して筐体１の構造物に嵌合孔を形成して両者を接合することも可能である。
【００６６】
保護シート３０に両面テープ４５貼って筐体１の底部シャーシ等に添着する場合は、両面テープ４５は、保護シート３０の第２差し込み片３３ｘ、第３差し込み片３４ｘが形成された面に貼り付け、筐体１の底部シャーシ等に添着する。
【００６７】
這い回し形状に合わせて略Ｕ字形状に折り曲げられた伝送ケーブル２６には、原形の直線形状に復帰しようとする力が働き、折合わせた保護シート３０を開こうとする力が働く。上記で述べた通り、保護シート３０の第２差し込み片３３ｘ、第３差し込み片３４ｘが形成された面に表面テープ４５が貼り付けられ、筐体１の底部シャーシ等に添着されている為、第２スリット溝３３ｙ、第３スリット溝３４ｙが形成された面に折り曲げられた伝送ケーブル２６が元の形状に復元しようとする力が働く。
【００６８】
この元の形状に復帰しようとする力で、保護シート３０の第２スリット溝３３ｙ、第３スリット溝３４ｙが形成された面を開こうとするが、第２スリット溝３３ｙ、第３スリット溝３４ｙが形成されている為、保護シート３０の面に働く力が、第２スリット溝３３ｙ、第３スリット溝３４ｙに勘合した第２差し込み片３３ｘ、第３差し込み片３４ｘに直接伝わらない。
【００６９】
更に、第２スリット溝３３ｙに対応する保護シート３０の端部４３、及び第３スリット溝３４ｙに対応する保護シート３０の端部４４が、それぞれの嵌合凹部に形成された開口幅より狭い幅で形成されている為、保護シート３０の端部４３、４４が撓み、保護シート３０を開こうとする力を吸収し、嵌合が解除され辛い。
【００７０】
第２スリット溝３３ｙ、第３スリット溝３４ｙを保護シート３０の長手方向端部に形成し、それらのスリット溝の間で、スリット溝と交差し折目ライン３１に対向する辺に第１差し込み片３２ｘを配置する。第１差し込み片３２ｘには、それに対応する第１スリット溝３２ｙの幅より広い鰓部を形成する。上述した通り、折り曲げられた伝送ケーブル２６が元の形状に復元しようとする力が、第１差し込み片３２ｘが形成された面にかかるが、この鰓部により第１スリット溝に係合し、嵌合が解除されるのを防ぐことができる。
【００７１】
図９は図７とは異なる接合手段３７、３８、３９の実施形態を示し、（ａ）は折り合わせ面に形成された接着剤層、溶着層、圧着層、などの接合層構造４０を示している。また（ｂ）は折り合わせ面に添着されたリベツト止め４１を示し、（ｃ）はステープル止め４２などの接合具構造を示している。
【００７２】
図２、図３に示す通り、筐体１の内部の読取キャリッジ１０の副走査方向への移動経路と重なる位置に、保護シート３０に挟まれた伝送ケーブル２６が配置される。その為、読取キャリッジの移動の障害とならないよう、伝送ケーブル２６は筐体１の底部シャーシに密着させて配置される。
【００７３】
前述したが、伝送ケーブル２６内部には、光電センサ１３で読み出した画像データが伝送される。画像データは、小振幅、低消費電力で比較的高速にデータを送信可能な差動インターフェイス（ＬＶＤＳ：Ｌｏｗ  ｖｏｌｔａｇｅ  ｄｉｆｆｅｒｅｎｔｉａｌ  ｓｉｇｎａｌｉｎｇ）が使用される。このＬＶＤＳ信号は、伝送経路の誘電率の変化により振幅が変化してしまう。伝送ケーブル２６が筐体１の底部シャーシに密着させて這い回しされるが、その密着部において保護シート３０が全面に渡り伝送ケーブル２６と筐体１の底部シャーシとの間に介在するため、誘電率の変化を抑え、安定した信号を送信することが可能となる。
【００７４】
また、その反対に伝送ケーブル２６が金属等で形成された筐体１の底部シャーシとの直接の接触を避けられるため、伝送ケーブル２６の表皮から筐体１へ伝搬する電気信号の伝搬経路が立たれ、筐体１をアンテナとする電波ノイズの発生を防ぐことも可能となる。
【符号の説明】
【００７５】
Ａ      画像読取装置
Ｃｒ    キャリッジ走行エリア
Ｂｒ    基板収納エリア
１      筺体
５      基板収容部
１０    読取キャリッジ
２２    ガイド部材
２３    隔壁（バリアウォール）
２５    制御基板
２６    伝送ケーブル
２６ａ  電源供給ケーブル
２６ｂ  データ転送ケーブル（信号線）
２６ｃ  第１折曲部
２６ｄ  第２折曲部
２６ｘ  可動結線部
２６ｙ  固定結線部
２６ｚ  フレキシブルハーネス部
３０    保護シート（固定機構）
３１    折り目ライン
３１ｓ  スリット溝
３２    第１接合部
３２ｘ  嵌合突起部（第１差し込み片）
３２ｙ  嵌合凹部（第１スリット溝）
３３    第２接合部
３３ｘ  嵌合突起部（第２差し込み片）
３３ｙ  嵌合凹部（第２スリット溝）
３４    第３接合部
３４ｘ  嵌合突起部（第３差し込み片）
３４ｙ  嵌合凹部（第３スリット溝）
【図１】
0006498930.tif 000002
【図２】
0006498930.tif 000003
【図３】
0006498930.tif 000004
【図４】
0006498930.tif 000005
【図５】
0006498930.tif 000006
【図６】
0006498930.tif 000007
【図７】
0006498930.tif 000008
【図８】
0006498930.tif 000009
【図９】
0006498930.tif 000010